(57)【特許請求の範囲】
【請求項１】
小物を収納する収納体とシート状の蓋体とで形成され、前記収納体は収納部と該収納部周縁の適宜位置に前記蓋体を取着するための取着部が備えられ、該取着部に蓋取着部を着脱自在に取着する卓上小物入れにおいて、前記収納体の取着部及び／又は蓋取着部に複数の係止部を備え、前記収納体の取着部に備えた係止部は、該係止部の先端を開口とする隙間開口に形成し、該隙間開口のいずれかに前記蓋取着部の端部を挟み込むように取着して収納物を管理することを特徴とする卓上小物入れ。
【請求項２】
前記収納体の取着部に備えた係止部は挿通孔で形成し、該挿通孔のいずれかに前記蓋取着部の端部を挿込んで取着して収納物を管理することを特徴とする請求項１記載の管理機能を備えた卓上小物入れ。
【請求項３】
前記収納体の取着部に備えた係止部は突起部で形成し、前記蓋取着部の適宜位置に備えた係止部は挿通穴で形成し、該挿通穴のいずれかに前記突起部を挿込んで取着して収納物を管理することを特徴とする請求項１又は２に記載の管理機能を備えた卓上小物入れ。
【請求項４】
前記収納部を複数に小分けしたことを特徴とする請求項１〜３のいずれか１項に記載の管理機能を備えた卓上小物入れ。
【発明の詳細な説明】
【技術分野】
【０００１】
本発明は、卓上に置いて小物を収納する小物入れに管理機能を備えたことを特徴とする卓上小物入れに関するものである。
【背景技術】
【０００２】
物を入れる収納具の中でも小物入れ具は、小物を集約することができる利点があるので
ひとまとめに集約して収納することにおいては実用的である。
【０００３】
しかし、取り出すときは選別しなければならずさらに仕切りを設ける必要がある。
特許文献１において、袋体に複数の開閉自在の開口部を設け、この開口部を区分する仕切りを形成し、それぞれ独立した収納部とした技術が提案されている。しかし、袋体でもあり構造も違い内容物を管理する機能を備えたものではない。
【先行技術文献】
【特許文献】
【０００４】
【特許文献１】特開平６−０９２３６１号公報
【発明の概要】
【発明が解決しようとする課題】
【０００５】
解決しようとする問題点は、卓上の小物入れにおいて簡易な管理機能を備えた卓上小物入れがない点である。
【課題を解決するための手段】
【０００６】
本発明は、小物入れを収納体とシート状の蓋体とで形成し、収納体の取着部に蓋体の蓋取着部を着脱自在に取着する複数の係止部を備え、該係止部のいずれかに蓋取着部を取着することで収納物を管理する管理機能を備えたことを最も主要な特徴とする。
【０００７】
本発明の卓上小物入れは、小物を収納する収納体とシート状の蓋体とで形成し、前記収納体は収納部と該収納部周縁の適宜位置に前記蓋体を取着する取着部を備え、該取着部に蓋取着部を着脱自在に取着するとよい。
【０００８】
そして、収納体の取着部に複数の係止部を備え、該係止部のいずれかに蓋取着部を取着して収納物を管理する管理機能を備えるとよい。
【０００９】
また、係止部はフック及び／又は挿通孔及び／又は取着部の先端を開口とする隙間開口とするとよい。
【００１０】
また、収納部内を複数に小分けするとよい。
【００１１】
さらに、蓋取着部は多角形のシート状の蓋体端部及び／又は蓋体の適宜位置に備えたフック及び／又は挿通穴とするとよい。
【００１２】
さらにまた、蓋体の適宜位置にポケットを備えるとよい。
【発明の効果】
【００１３】
本発明の卓上に置いて小物を収納する卓上小物入れは、小物を収納する収納体とシート状の蓋体とで形成し、収納体の取着部に複数の係止部を備え、いずれかの係止部に蓋取着部を着脱自在に取着して収納体の収納物を管理するものであり、シート状の蓋体を多角形の小型の布、又は柔らかなシート状の皮革製品などで収納体をカバーすることで卓上小物入れを形成したので、蓋体の交換が容易でその都度インテリア効果を引き出し、複数の係止部のいずれかに取着することで、蓋体をめくることなく収納物を確認することができるし、収納体に複数の収納部を備えて収納物を小分けして収納すれば、蓋体をめくるだけですべてを管理することができるなど、個々に多様なルールを設定することができて、個々が生み出す多様なルールはインテリア効果を生み出すと共に管理機能を備え、特に薬剤の服用管理具として利用できる利点がある。
【図面の簡単な説明】
【００１４】
【図１】図１のイ図は小物入れの全体を示した斜視図である。ロ図は小物入れの収納体を示した斜視図である。（実施例１）
【図２】図２のイ図は小物入れの収納体を示した斜視図である。（実施例２）ロ図は小物入れの収納体の収納部内を小分けした状態を示した斜視図である。（実施例３）ハ図は小物入れの収納体を角形に形成した斜視図である。（実施例４）
【図３】図３のイ図はシート状の蓋体に挿通穴を設けた斜視図である。（実施例５）ロ図はシート状の蓋体にホックを備えた斜視図である。（実施例６）ハ図はシート状の蓋体にポケットを取り付けた斜視図である。（実施例７）
【発明を実施するための形態】
【００１５】
小物を収納する収納体と多角形のシート状の蓋体とで形成し、収納体の取着部に複数の係止部を備え、該係止部のいずれかに蓋体の蓋取着部を着脱自在に取着し、蓋体を取らずに収納部の収納物を確認して管理することができる管理機能を構築した。
【実施例１】
【００１６】
図１のイ図は、本発明の卓上小物入れの全体を示した斜視図であって、収納体１の収納部１０を覆った多角形のシート状の蓋体２は、収納体の取着部１１の先端を開口とした隙間開口１３、１３´に、蓋体端部２１・・を差込むように取着して卓上小物入れを形成する。
【００１７】
図１のロ図は、卓上小物入れの収納体１を示し、収納体の収納部１０周縁の適宜位置に取着部１１を備え、この取着部に隙間開口１３、１３´を備えて収納体１を形成する。なお、隙間開口１３、１３´は重ねてもよく、開口部を上向きに立てた状態で前後左右に並べて形成してもよい。
【実施例２】
【００１８】
図２のイ図は、卓上小物入れを収納部１０周縁の適宜位置に取着部１１を備え、この取着部１１に突起部１２と、挿通孔１４、１４´及び隙間開口部１３とを備えて収納体１を形成した実施例を示し、蓋体２の蓋取着部によっては突起部１２のみであってもよく、挿通孔１４、１４´のみであってもよく、係止部の組み合わせは限定するものではなく、これら以外の組み合わせであっても取着の状態を判別することが可能であればよいものとする。
【実施例３】
【００１９】
図２のロ図は、卓上小物入れの収納体１の収納部１０・・は仕切り１８を備えて３か所に小分けした状態を示し、仕切り１８は着脱自在とすることも数か所に小分けすることも可能とする。取着部１１にリング１５とホック１６を備えた状態を示し、リング１５は三角形であってもよく、四角形であってもよく、楕円形であってもよい。また、ホック１６は２個あってもよく、１個であってもよく、雄型、雌型の付け方を限定するものではなく、これら以外の組み合わせであってもよく、取着することができて取着の状態を判別することが可能であればよいものとする。
【実施例４】
【００２０】
図２のハ図は、卓上小物入れの収納体１を角形に形成し、角部を固定具１７・・で固定して角形に形成し、収納体１の収納部１０周縁の適宜位置に取着部１１を備え、この取着部１１に突起部１２´とホック１６、１６´を備える。なお、四角形に限定するものではなく、四角形以外の多角形であってもよく、収納体１の形体は実施例に限定されるものではない。
【実施例５】
【００２１】
図３のイ図は、蓋体２の適宜位置に備えた挿通穴２０、２０´であって、収納体１の取着部１１に備えた突起部１２、１２´を挿通するための挿通穴であり、この挿通穴は１個でもよく、また２個でもよく、ボタンをはめるような穴でもよく、穴の大きさも限定するものではない。また、蓋体２は四角形に限定するものではなく、多角形であってもよく、角に円みを形成するものであってもよい。
【実施例６】
【００２２】
図３のロ図は、蓋体２の適宜位置に備えたホック１６、１６´であって、収納体１の取着部１１に備えたホック１６に取着するためのホックである。なを、このホックは１個でもよく、また２個でもよく、収納体１のホックが雌型のホックであれば蓋体２のホックは雄型であり備え方を限定するものではなく、ボタンであってもよく、収納体１の係止部と蓋体２の蓋取着部との係合と係止の関係にあればよいものとする。
【実施例７】
【００２３】
図３のハ図は、蓋体２の適宜位置に備えたポケット３であり１個に限定するものではなく、複数個であってもよく、補助用の収納部として利用することができる。なお、蓋体端部とは、蓋体２の形状によって異なるが、収納体１の取着部１１に備えた隙間開口部１３、１３´に差込んだ状態で収納部１０を覆うことができる蓋体２の端部であればよく、その端部を限定するものではなく、実施例に限定されるものではない。
【００２４】
上述した卓上小物入れの収納体１は、合成樹脂製、陶磁器製、ガラス製、繊維製、皮革製、木製など特に限定するものではない。また、シート状の蓋体２の素材としては、天然皮革又は人工皮革でもよく、天然繊維又は化学繊維などであってもよく特に限定するものではない。  
【００２５】
このように、収納体に備えた係止部に蓋取着部を付け変える、又は、蓋体の取り換えを収納部の収納物に関連付ける、例えば、収納部に朝に服用する薬を用意し、服用し終えたら収納体の別の取着部に蓋取着部を付け変えるというルールを設定すれば、蓋体をめくることなく服用したことを確認することができるので、この作業を順次繰り返すことで服用を管理することができるなど、個々に多様なルールを設定することができて、そのルールが夫々のインテリア効果を生み出す管理機能を備え、卓上の身近なところに目立つように置くことで忘れずに確実に服用を繰り返すことができる。
【００２６】
このように、ごく一般的な卓上小物入れとしての利用から、特に服用管理機能を備えた小物入れとして薬の確実な服用を推進するのに大いに役立つ。
【産業上の利用可能性】
【００２７】
小物を収納する卓上小物入れとしての利用は勿論、卓上のインテリア商品に管理機能を備えたことで薬の服用管理具としての用途にも大いに利用できる。
【符号の説明】
【００２８】
１          収納体
１０・・    収納部
１１        取着部
１２  １２´突起部
１３  １３´隙間開口
１４  １４´挿通孔
１５        リング
１６  １６´ホック
１７・・    固定具
１８        仕切り
２          蓋体
２０  ２０´挿通穴
２１・・    蓋体端部
３          ポケット
【図１】
0006030673.tif 000002
【図２】
0006030673.tif 000003
【図３】
0006030673.tif 000004